(57)【要約】【課題】大型クラゲを破砕することができ、かつ、人力に依存せずに、連続的にクラゲの排出を行うことを可能にする海上浮遊生物破砕装置を提供する。【解決手段】海上浮遊生物破砕装置（１００）は、クラゲを破砕する破砕手段（１１０）と、クラゲを破砕手段（１１０）に搬送する搬送手段（１２０）と、破砕手段（１１０）を収容するとともに、破砕手段（１１０）により破砕されたクラゲの残骸をストックするスペース（１３３）を有するケーシング（１３０）と、スペース（１３３）内のクラゲの残骸（２１０）をケーシング（１３０）の内側から外側に排出する排出手段（１４０）と、ケーシング（１３０）を海面に浮かせた状態に維持する浮遊維持手段（１５０）と、を備える。【選択図】図１
0003140961.tif 000002
【実用新案登録請求の範囲】
【請求項１】
海上浮遊生物を破砕する破砕手段と、
前記海上浮遊生物を前記破砕手段に搬送する搬送手段と、
前記破砕手段を収容するとともに、前記破砕手段により破砕された前記海上浮遊生物の残骸をストックするスペースを有するケーシングと、
前記スペース内の前記残骸を前記ケーシングの内側から外側に排出する排出手段と、
前記ケーシングを海面に浮かせた状態に維持する浮遊維持手段と、
を備える海上浮遊生物破砕装置。
【請求項２】
前記破砕手段は、
外周から突出した破砕用ブレードが設けられ、水平な回転軸の回りに回転する回転ドラムと、
前記ケーシングに設けられた受け歯であって、前記破砕用ブレードと一平面内において並ぶときに、前記破砕用ブレードとの間に前記海上浮遊生物を破砕することが可能な隙間を形成する受け歯と、
からなるものであることを特徴とする請求項１に記載の海上浮遊生物破砕装置。
【請求項３】
前記ケーシングは前記破砕手段に関して前記スペースとは反対側の位置において前記海上浮遊生物を前記破砕手段に引き込むための引き込み面を有しており、
前記引き込み面にはスリットが形成され、前記搬送手段は前記スリットの内部に配置されていることを特徴とする請求項１または２に記載の海上浮遊生物破砕装置。
【請求項４】
前記浮遊維持手段は少なくとも一つのフロートからなるものであることを特徴とする請求項１乃至３の何れか一項に記載の海上浮遊生物破砕装置。
【考案の詳細な説明】
【技術分野】
【０００１】
本考案は、海上に浮遊する生物、特に、クラゲを破砕する海上浮遊生物破砕装置に関する。
【背景技術】
【０００２】
近年、我が国では、日本海沿岸を中心に大型クラゲ（エチゼンクラゲ）の大量発生が大きな問題となっている。
【０００３】
定置網その他の漁網に大型クラゲが迷入すると、漁業者は漁網からのクラゲの排出作業に莫大な時間を要し、作業負担が増大する。
【０００４】
また、魚その他の漁獲物は、クラゲ排出作業による操業時間の増大に伴い鮮度が低下し、さらには、クラゲへの接触により品質が低下する。
【０００５】
このため、従来から、漁網内に迷入してきたクラゲを排出するための種々のクラゲ排出装置が提案されている。
【０００６】
例えば、特開２００２−１２５号公報はそのようなクラゲ排出装置の一例を提案している。
【０００７】
同公報に記載されているクラゲ排出装置は、円筒体の上端を閉塞したケーシングと、スクリュー状の羽根を有し、前記ケーシング内において鉛直方向の回転軸の回りに回転可能に収納されたスクリュー移送体と、前記スクリュー移送体を回転駆動するモーターと、からなるクラゲ排出装置を提案している。
【０００８】
ケーシングの下端は開口しており、ここからクラゲがケーシング内に吸い込まれる。ケーシング内に吸い込まれたクラゲはスクリュー移送体により上方に移送され、その間に、スクリュー移送体により破砕される。ケーシングの上端付近の側壁には排出口が形成されており、破砕されたクラゲはこの排出口から外部に排出される。
【考案の開示】
【考案が解決しようとする課題】
【０００９】
しかしながら、上記公報に記載されているクラゲ排出装置は、元来、小型のクラゲを対象とするものであり、エチゼンクラゲその他の大型クラゲを吸い込むことは物理的に不可能である。
【００１０】
仮に、上記公報のクラゲ排出装置を同一構造のまま、大型クラゲ用にサイズを大きくしたとしても、新たな問題が生じる。
【００１１】
上記公報のクラゲ排出装置は、その上端にハンドルが付いており、作業者はそのハンドルを持って、クラゲ排出装置を海面付近に支持し、クラゲを吸い込むように構成されている。このため、上記公報のクラゲ排出装置を大型クラゲ用に単純にサイズアップすると、重量が飛躍的に大きくなり、同装置を人力で海面付近に支持することが不可能になる。
【００１２】
このような問題の他に、上記公報のクラゲ排出装置は人力で海面付近に支持するものであるため、クラゲを排出することができる時間は限定され、時間的に連続してクラゲを排出することはできないという問題点もあった。
【００１３】
本考案は以上のような従来のクラゲ排出装置における問題点に鑑みてなされたものであり、大型クラゲを破砕することができ、かつ、人力に依存せずに、連続的にクラゲの排出を行うことを可能にする海上浮遊生物破砕装置を提供することを目的とする。
【課題を解決するための手段】
【００１４】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１５】
上記の目的を達成するため、本考案は、海上浮遊生物（２１０）を破砕する破砕手段（１１０）と、前記海上浮遊生物（２１０）を前記破砕手段（１１０）に搬送する搬送手段（１２０）と、前記破砕手段（１１０）を収容するとともに、前記破砕手段（１１０）により破砕された前記海上浮遊生物（２１０）の残骸（２１０）をストックするスペース（１３３）を有するケーシング（１３０）と、前記スペース（１３３）内の前記残骸（２１０）を前記ケーシング（１３０）の内側から外側に排出する排出手段（１４０）と、前記ケーシング（１３０）を海面（２００）に浮かせた状態に維持する浮遊維持手段（１５０）と、を備える海上浮遊生物破砕装置（１００）を提供する。
【００１６】
前記破砕手段（１１０）は、例えば、外周から突出した破砕用ブレード（１１１）が設けられ、水平な回転軸の回りに回転する回転ドラム（１１２）と、前記ケーシング（１３０）に設けられた受け歯（１１３）であって、前記破砕用ブレード（１１１）と一平面内において並ぶときに、前記破砕用ブレード（１１１）との間に前記海上浮遊生物（２１０）を破砕することが可能な隙間を形成する受け歯（１１３）と、から構成される。
【００１７】
前記ケーシング（１３０）は前記破砕手段（１１０）に関して前記スペース（１３３）とは反対側の位置において前記海上浮遊生物（２１０）を前記破砕手段（１１０）に引き込むための引き込み面（１３２）を有していることが好ましい。この場合、前記引き込み面（１３２）にはスリット（１３３）を形成し、前記搬送手段（１２０）は前記スリット（１３３）の内部に配置することができる。
【００１８】
前記浮遊維持手段（１５０）は、例えば、少なくとも一つのフロート（１５１）から構成することができる。
【考案の効果】
【００１９】
本考案に係る海上浮遊生物破砕装置によれば、上記の従来のクラゲ排出装置とは異なり、大型クラゲを確実に破砕することが可能である。
【００２０】
さらに、本考案に係る海上浮遊生物破砕装置は浮遊維持手段により海面に浮遊した状態に維持されるため、従来のクラゲ排出装置とは異なり、人力によってクラゲ排出装置を海面上に支持しておくことはもはや必要ではなく、連続的に海上浮遊生物の駆除を行うことが可能である。
【００２１】
また、本考案に係る海上浮遊生物破砕装置は海上浮遊生物を破砕するため、海上浮遊生物が漁網に再迷入することを防止することができる。
【００２２】
さらに、本考案に係る海上浮遊生物破砕装置によれば、海上浮遊生物を海上の現場において廃棄処理することができるため、海上浮遊生物の処理費用を大きく軽減することが可能になる。
【００２３】
なお、海上浮遊生物の残骸を海中に廃棄することは関係法令に抵触するものではない。
【００２４】
例えば、「海洋汚染等及び海上災害の防止に関する法律」（海洋汚染防止法）第１０条第２項第４号によれば、海上浮遊生物の破砕後の残骸は施行令第６条第２号に掲げるもの（海洋において処分することがやむを得ない廃棄物のうち、輸送活動、漁ろう活動その他の船舶の通常の活動に伴い生ずる廃棄物のうち植物性のもの及び動物性のもの）に該当し、これについては排出方法は制限されていない（別表第３の６）。すなわち、海上浮遊生物の残骸を海中に投棄することは禁止されていない。
【００２５】
また、「廃棄物の処理及び清掃に関する法律」（廃棄物処理法）においては、漁業活動に伴って漁網にかかった水産動植物等であって、当該漁業活動を行った現場付近において排出されたものは当該廃棄物処理法の対象となる廃棄物から除外されている。
【考案を実施するための最良の形態】
【００２６】
図１は、本考案の第一の実施形態に係る海上浮遊生物破砕装置１００を上方から見たときの平面図、図２は、図１のＡ−Ａ線における概略的な断面図、図３は、本実施形態に係る海上浮遊生物破砕装置１００を前方から見た場合の斜視図である。
【００２７】
本実施形態に係る海上浮遊生物破砕装置１００は、海面２００（図２参照）に浮遊するクラゲ２１０その他の海上浮遊生物を破砕する破砕手段１１０と、クラゲ２１０を破砕手段１１０に搬送する搬送手段１２０と、破砕手段１１０及び搬送手段１２０を収容するケーシング１３０と、破砕手段１１０により破砕されたクラゲ２１０の残骸をケーシング１３０の内側から外側に排出する排出手段１４０と、ケーシング１３０を海面２００に浮かせた状態に維持する浮遊維持手段１５０と、から構成されている。
【００２８】
破砕手段１１０は、図１及び図２に示すように、外周から突出した破砕用ブレード１１１が設けられ、水平な回転軸の回りにＣ方向に回転可能な回転ドラム１１２と、ケーシング１３０に設けられた受け歯１１３とから構成されている。
【００２９】
破砕用ブレード１１１は、図１に示すように、回転ドラム１１２の外周上において回転ドラム１１２の回転軸と平行に列状に整列された複数の三角形状の刃からなり、各刃は回転ドラム１１２の半径方向の外側を向いている。回転ドラム１１２の外周には、９０度の円周角毎に４列の破砕用ブレード１１１が配置されている。
【００３０】
受け歯１１３はケーシング１３０に取り付けられ、あるいは、ケーシング１３０の一部として形成されている。受け歯１１３は、破砕用ブレード１１１と一平面内（例えば、水平面内）において並ぶときに、破砕用ブレード１１１の各々との間にクラゲ２１０を破砕することが可能な隙間を形成する。後述するように、搬送手段１２０により回転ドラム１１２まで搬送されてきたクラゲ２１０は、この隙間に巻き込まれることにより、破砕される。
【００３１】
搬送手段１２０は、回転ドラム１１２の回転軸と直交する方向に延び、かつ、相互に等間隔に配置された３本の無限チェーンベルト機構から構成されている。
【００３２】
図２に示すように、各無限チェーンベルト機構は、一対のローラー１２１、１２２と、一対のローラー１２１、１２２にかけ渡されたチェーン１２３と、から構成されている。
【００３３】
一対のローラー１２１、１２２は、チェーン１２３が矢印Ａの方向に進行するように、回転駆動される。
【００３４】
各チェーン１２３には、一定間隔毎に、チェーン１２３の表面から外側に突出した爪状のフック１２４が取り付けられている。
【００３５】
搬送手段１２０は、海面２００に浮遊しているクラゲ２１０をフック２１４で引っ掛けた後、チェーン１２３が矢印Ａの方向に進行することにより、クラゲ２１０を破砕手段１１０まで搬送する。
【００３６】
ケーシング１３０は、破砕手段１１０を内部に収容するとともに、破砕手段１１０の前方には、一対の側壁１３１（図３参照）と、一対の側壁１３１の間に形成されているクラゲ引き込み面１３２（図３参照）とを有している。
【００３７】
クラゲ引き込み面１３２には３本のスリット１３３が形成されており、搬送手段１２０を構成する各無限チェーンベルト機構はスリット１３３の各々の内部に配置されている。この場合、各無限チェーンベルト機構におけるチェーン１２３のフック１２４はクラゲ引き込み面１３２から突出している。
【００３８】
さらに、図２に示すように、ケーシング１３０は、回転ドラム１１２に関して搬送手段１２０とは反対側の位置において、破砕手段１１０により破砕されたクラゲ２１０の残骸２１１をストックする残骸ストック用スペース１３４を有している。
【００３９】
なお、受け歯１１３はクラゲ引き込み面１３２の回転ドラム１１２側の端部に形成されている。
【００４０】
ケーシング１３０の上には、回転ドラム１１２及び一対のローラー１２１、１２２を回転駆動するモーター１６０が取り付けられている。
【００４１】
ケーシング１３０は、例えば、ステンレス鋼または樹脂（プラスチック）からつくられる。
【００４２】
排出手段１４０はポンプから構成されており、残骸ストック用スペース１３４の中のクラゲ２１０の残骸２１１を海水とともに吸い上げ、ケーシング１３０の内側から外側に排出する。
【００４３】
浮遊維持手段１５０は、ケーシング１３０の四隅に取り付けられた４個のフロート１５１から構成されている。
【００４４】
４個のフロート１５１は、海上浮遊生物破砕装置１００の総重量に対して、図２に示すように、海面２００を浮遊するクラゲ２１０が搬送手段１２０のチェーン１２３に乗るような高さに海上浮遊生物破砕装置１００が位置するような浮力を有するものとして設計されている。
【００４５】
なお、海上浮遊生物破砕装置１００の重心が４個のフロート１５１の総浮力の作用位置よりも下方に位置するように海上浮遊生物破砕装置１００を設計することにより、海上浮遊生物破砕装置１００が浮遊した状態における安定性を保つことが可能である。
【００４６】
以上のような構造を有する本実施形態に係る海上浮遊生物破砕装置１００は以下のような動作を行う。
【００４７】
海上浮遊生物破砕装置１００に向かって海面２００を浮遊してきたクラゲ２１０はクラゲ引き込み面１３２に部分的にでも乗ると、チェーン１２３から突出しているフック１２４に引っ掛かり、そのまま、Ｂ方向に進行するチェーン１２３に引っ張られて、クラゲ引き込み面１３２上を破砕手段１１０に向かって搬送される。
【００４８】
クラゲ２１０は破砕手段１１０の回転ドラム１１２まで到達すると、回転ドラム１１２とともに回転してくる破砕用ブレード１１１に巻き込まれ、破砕用ブレード１１１と受け歯１１３との間の隙間に挟み込まれることにより、破砕される。
【００４９】
破砕されたクラゲ２１０の残骸２１１は回転ドラム１１２とともにケーシング１３０の内部を移動し、残骸ストック用スペース１３４に収納される。
【００５０】
残骸ストック用スペース１３４に収納されたクラゲ２１０の残骸２１１は排出手段１４０により、残骸ストック用スペース１３４からケーシング１３０の外部に放出される。
【００５１】
クラゲ２１０の残骸２１１は、例えば、排出手段１４０を介して海中に投棄してもよく、あるいは、排出手段１４０にホースを接続し、そのホースを介して他の施設（例えば、焼却処理施設など）に送り込むことも可能である。
【００５２】
以上のように、本実施形態に係る海上浮遊生物破砕装置１００によれば、上記の従来のクラゲ排出装置とは異なり、大型クラゲを確実に破砕することが可能である。
【００５３】
加えて、本実施形態に係る海上浮遊生物破砕装置１００は浮遊維持手段１５０により海面２００に浮遊した状態にあるため、従来のクラゲ排出装置とは異なり、人力によってクラゲ排出装置を海面上に支持しておくことはもはや必要ではなく、人力に依存することなく、連続的にクラゲの駆除を行うことが可能である。
【００５４】
なお、本実施形態に係る海上浮遊生物破砕装置１００は上記の構造に限定されるものではなく、種々の改変が可能である。
【００５５】
本実施形態に係る海上浮遊生物破砕装置１００においては、クラゲ２１０を破砕する破砕手段１１０は破砕用ブレード１１１と回転ドラム１１２と受け歯１１３とから構成されているが、破砕手段１１０の構造はこれには限定されない。クラゲ２１０を破砕することができるものである限り、破砕手段１１０は任意の構造とすることが可能である。例えば、破砕手段１１０として、スクリュー式の破砕装置を用いることも可能である。
【００５６】
また、本実施形態に係る海上浮遊生物破砕装置１００においては、搬送手段１２０は一対のローラー１２１、１２２とチェーン１２３とから構成されているが、搬送手段１２０の構造はこれには限定されない。クラゲ２１０を破砕手段１１０まで搬送可能なものである限りにおいて、搬送手段１２０は任意の構造を有することが可能である。例えば、チェーン１２３の代わりにベルトを用いてもよく、あるいは、チェーン１２３上にバケットその他のコンテナを載置して用いることも可能である。
【００５７】
また、本実施形態に係る海上浮遊生物破砕装置１００においては、浮遊維持手段１５０は４個のフロート１５１から構成されているが、フロート１５１の個数は４には限定されない。海上浮遊生物破砕装置１００を海面２００に浮遊させておくことができる範囲において、任意の個数のフロート１５１を浮遊維持手段１５０として用いることができる。
【００５８】
また、フロート１５１の取り付け位置もケーシング１３０の四隅に限定されるものではなく、任意の位置に取り付けることが可能である。
【００５９】
さらに、浮遊維持手段１５０はフロート１５１から構成されるものには限定されない。
【００６０】
例えば、ケーシング１３０の外面にフックを設け、このフックを介して、海上浮遊生物破砕装置１００を船舶のデッキに引っ掛けることにより、海上浮遊生物破砕装置１００を海面２００に浮遊させておくことも可能である。
【００６１】
あるいは、船舶にクレーンを設置し、このクレーンにより、海上浮遊生物破砕装置１００を海面２００に浮遊させておくことも可能である。
【図面の簡単な説明】
【００６２】
【図１】本考案の第一の実施形態に係る海上浮遊生物破砕装置を上方から見たときの平面図である。
【図２】図１のＡ−Ａ線における概略的な断面図である。
【図３】本考案の第一の実施形態に係る海上浮遊生物破砕装置を前方から見た場合の斜視図である。
【符号の説明】
【００６３】
１００  本考案の第一の実施形態に係る海上浮遊生物破砕装置
１１０  破砕手段
１１１  破砕用ブレード
１１２  回転ドラム
１１３  受け歯
１２０  搬送手段
１２１、１２２  ローラー
１２３  チェーン
１２４  フック
１３０  ケーシング
１３１  側壁
１３２  クラゲ引き込み面
１３３  スリット
１３４  残骸ストック用スペース
１４０  排出手段
１５０  浮遊維持手段
１５１  フロート
１６０  モーター
２００  海面
２１０  クラゲ
２１１  クラゲの残骸
【図１】
0003140961.tif 000003
【図２】
0003140961.tif 000004
【図３】
0003140961.tif 000005